(57)【特許請求の範囲】
【請求項１】
天板と底板とを一定高さの周壁板によって一体に固定してなる中空の載置台の上記天板の上面外周部に短筒形状の内外周壁部を上方に向かって突設してこれらの内外周壁間で消火器の円筒状器体の下端部を挿入させるリング状空間部を形成していると共に該内外周壁間の天板上面を消火器の載置面とし、この載置面の一側部に孔を設けてこの孔に載置台の中空内部から上記リング状空間部に向かってスプリング力により常時、上方に付勢されているスイッチ部材を上下方向に出没自在に挿嵌させている一方、載置台の中空内部に警報を発するベルと、このベルを連続叩打するハンマー部材と、このハンマー部材を作動させるゼンマイとを配設し、上記載置面上に載置した消火器の重量によって押し下げられる上記スイッチ部材により上記ハンマー部材を不作動状態にし、消火器を載置面から離脱させた時に、上記ハンマー部材によりベルを連続叩打させるように構成していることを特徴とする消火器の盗難防止装置。
【発明の詳細な説明】
【０００１】
【発明の属する技術分野】
本発明は、建物内の所定箇所に設置されている消火器がその設置場所から外された際に、警報を発して盗難を防止する消火器の盗難防止装置に関するものである。
【０００２】
【従来の技術】
建物内の所定箇所には、火災が発生した時に初期の消火活動を行って延焼を防止するための消火器が設置されているが、この消火器は持ち運びが可能なために盗まれる虞れがあり、そのため、従来から消火器には盗難防止装置が備えられている。
【０００３】
このような盗難防止装置としては、消火器を収納箱内に収めておき、収納箱の扉を開いた時に警報を発するように構成したものが多用されている。例えば、収納箱内にベルを配設しておき、このベルを叩打するハンマー部材を電磁石の通電によって作動させるようにし、収納箱の扉を開放した時に電磁石に通電させるスイッチを閉止させてハンマー部材によりベルを連続叩打して警報音を発するように構成している。
【０００４】
【発明が解決しようとする課題】
しかしながら、上記のような盗難防止装置では、収納箱の扉を開いた時には警報音を発するが、収納箱から消火器を取り出したのち直ちに扉を閉じると警報音が鳴り止み、従って、盗難を効果的に防止することができないことになる。さらに、ハンマー部材を通電によって作動させるように構成しているために、停電時には収納箱の扉を開放しても何等、警報音を発することがないから、盗難防止装置としての十分な機能を具備しておらず、その上、電源から消火器設置場所まで接続配線を必要として設置場所が制限され、その位置から他の場所への移し替えが困難となるという問題点があった。なお、電池を電源とすることは、長期間、不使用状態で設置しておく消火器においては電池の取り替えを必要として極めて不経済である。
【０００５】
本発明は上記のような問題点に鑑みてなされたもので、その目的とするところは、消火器の重量を利用して消火器が所定位置に設置されている状態においては警報を発することがないようにし、消火器が設置面から離脱した時には直ちに警報を機械的に発生させるようにした消火器の盗難防止装置を提供するにある。
【０００６】
【課題を解決するための手段】
上記目的を達成するために、本発明の消火器の盗難防止装置は、請求項１に記載したように、天板と底板とを一定高さの周壁板によって一体に固定してなる中空の載置台の上記天板の上面外周部に短筒形状の内外周壁部を上方に向かって突設してこれらの内外周壁間で消火器の円筒状器体の下端部を挿入させるリング状空間部を形成していると共に該内外周壁間の天板上面を消火器の載置面とし、この載置面の一側部に孔を設けてこの孔に載置台の中空内部から上記リング状空間部に向かってスプリング力により常時、上方に付勢されているスイッチ部材を上下方向に出没自在に挿嵌させている一方、載置台の中空内部に警報を発するベルと、このベルを連続叩打するハンマー部材と、このハンマー部材を作動させるゼンマイとを配設し、上記載置面上に載置した消火器の重量によって押し下げられる上記スイッチ部材により上記ハンマー部材を不作動状態にし、消火器を載置面から離脱させた時に、上記ハンマー部材によりベルを連続叩打させるように構成している。
【０００７】
【作用】
まず、スイッチ部材を人手によって押し下げてハンマー部材を不作動状態にし、この状態にしてハンマー部材作動用ゼンマイを巻いて該ゼンマイに所定の弾性復元力を保有させる。しかるのち、消火器を直ちに載置台の載置面上に載置して載置面から突出しているスイッチ部材をその重量によって押し下げることによりハンマー部材を不作動状態に維持しておく。この状態にして載置台上に設置した消火器を建物の所望位置に配設する。
【０００８】
次に、載置台上に設置されている消火器を載置台上から持ち上げると、スイッチ部材を押し下げていた消火器の重量が解放されてスイッチ部材によるハンマー部材の固定が解かれ、ゼンマイの弾性復元力によりハンマー部材が急速に往復回動してベルを連続叩打し、警報音を発生させる。この警報音は消火器を載置台上の元の位置に戻さない限りゼンマイの弾性復元力がなくなるまで連続的に長時間発することになり、従って、確実な盗難防止機能を発揮することができる。
【０００９】
また、火災発生時において、消火器を載置台上から取り外すと、上述したように警報音を発するので、火災が発生したことを知らせることができる。このように、載置台上に消火器を設置した状態においては、該消火器の重量によってハンマー部材をスイッチ部材を介して機械的に固定し、ハンマー部材の作動もゼンマイの弾性復元力によって機械的に行っているので、長期間の不使用状態にしておいても、使用時には確実に警報を発生させることができる。さらに、ハンマー部材やゼンマイ等を載置台内に配設しているので、取扱性が向上すると共に消火器の設置場所を変更する場合においてはその設置場所に載置台を簡単に移し変えることができる。
【００１０】
【発明の実施の形態】
次に、本発明の実施の形態を図面について説明すると、図１は消火器の盗難防止装置Ａの本体を形成している載置台１上に消火器Ｂを設置している状態を示す縦断正面図、図２は上記載置台１の平面図、図３は載置台１の内部構造を示す平面図であって、載置台１は平面四角形状の天板1aと底板1bとの四方縁辺間を一定高さの周壁板1cによって一体に固定してなる中空矩形板形状に形成されてあり、その天板1aの上面外周部を消火器Ｂの下端面を設置させる載置面２に形成している。なお、上記載置台１は平面四角形状に限らず、円形状、楕円形状、多角形状等の適宜な中空載置台に形成しておいてもよい。また、載置台１の四隅部には、載置台１を床面等に固定するための上下方向に貫通した取付孔1dが穿設されている。
【００１１】
上記載置面２は、天板1aの外周部に消火器Ｂの円筒状器体ｂの内径よりも小径の短筒形状の内側周壁2aと消火器Ｂの円筒状器体ｂの外径よりも大径の短筒形状の外側周壁2bとを上方に向かって垂直に突設してこれらの内外周壁2a、2b間の天板外周部によって形成されてあり、内外周壁2a、2b間のリング状空間部2cに消火器Ｂの円筒状器体ｂの下端部を嵌め込んで消火器Ｂを載置面２上に載置させるように構成している。
【００１２】
さらに、上記載置台１の中空内部には警報音を発するベル３と、このベル３を連続的に叩打するハンマー部材４と、このハンマー部材４をバネの弾性復元力によって動力伝達機構５を介して作動させるゼンマイ（渦巻きバネ）６と、消火器Ｂの重量によって下動して上記ハンマー部材４をゼンマイ６の復元力に抗して不作動状態に固定するスイッチ部材７とからなる盗難防止装置が配設されている。
【００１３】
上記ベル３は金属製であって碗形状に形成されてあり、その中央部が固定軸3aによって載置台１の底板1b上の適所、例えば図２及び図３に示すように前部中央に固定されている一方、ハンマー部材４と動力伝達機構５及びゼンマイ６はこのベル３の後方側に並列的に配置した固定枠８に取り付けられている。この固定枠８は図４に示すように適宜な平面形状（図においては平面台形状）に形成されている上面板8aと下面板8bとを一定間隔を存した状態で複数本の連結軸8cにより固着してなり、載置台１の中空内部における底板1bの後部中央に固定されている。
【００１４】
この固定枠８における上記上下面板8a、8bの一側端部間には上記ハンマー部材４の腕杆部4aの基端を一体に固着させた往復回動軸９が回動自在に支持されている。そして、ハンマー部材４をこの固定枠８から上記ベル３の一側方に向かって水平に突出させてその腕杆部4aの先端に固着している球状の叩打頭部4bをベル３の一側方に対向させ、上記往復回動軸９の作動によってベル３を連続的に叩打するように構成している。
【００１５】
さらに、往復回動軸９の下端部には平面Ｌ字状に屈折している棒状の水平杆部材10の基端を一体に固着させて該水平杆部材10を一側方に向かって突設していると共に往復回動軸９からハンマー部材４の基端部を上記動力伝達機構５を構成している後述する第３歯車5cに向かって二股状に突設してその突出端部に該第３歯車5cに交互に係脱する一対の爪4c、4dを形成している。
【００１６】
また、上記水平杆部材10の上方に対向する上記載置台１における天板1aの一側部には、該天板1aにおける消火器載置面２の一側部を上下に貫通して消火器載置面２を形成している上記内外周壁2a、2b間のリング状空間部2cに開口している孔11が穿設されてあり、この孔11に上記スイッチ部材７を載置台１内から上記リング状空間部2cに向かって上下方向に出没自在に挿嵌させている。
【００１７】
このスイッチ部材７は、図１に示すように、その下面両側部に設けている所定深さの孔状凹部7a、7a内と上記載置台１の内底面との間にコイルスプリング12、12を圧縮状態で介在させてこれらのコイルスプリング12、12の弾性力によって常時、上方に付勢されてあり、載置台１上に消火器Ｂを設置した時に該消火器Ｂの下端面によってこのスイッチ部材７を上記コイルスプリング12、12の弾性力を抗して下動させ、その下端面と載置台１の底板1bの内底面とで上記ハンマー部材４の水平杆部材10を挟着、固定してハンマー部材４を不作動状態に保持する一方、図５に示すように、載置台１上に消火器Ｂが設置されていない状態においてはコイルスプリング12、12の弾性復元力によってその上半部を上記孔11から上方に向かって突出させて上記水平杆部材10の固定を解くように構成している。
【００１８】
なお、スイッチ部材７の上半部を下半部よりも小形に形成してその連設部に段部7bを形成してあり、この段部7bを孔11における載置台１の天板下面側に係止させることにより、それ以上の上動を阻止するように構成している。また、載置台１の底板1bには上記コイルスプリング12、12の下半部を巻回させ、且つスイッチ部材７の上記孔状凹部7aに突入可能な固定ピン13を上方に向かって突設してスイッチ部材７を所定の位置で上下動させるようにしている。
【００１９】
一方、上記ハンマー部材４の往復回動軸９をバネ力によって作動させるための上記ゼンマイ６は、帯板を渦巻き状に巻回してなる渦巻きバネであって、その巻回外端部を図３に示すように、載置台１内の所定位置に固定した上記固定枠８における上下面板8a、8b間を連結した複数個の連結軸8cのうちの一つの連結軸8cに固定、支持させていると共に、巻回内端部を固定枠８の上下面板8a、8bの他側部間に回転自在に支持させている主軸14の周囲に巻回してその巻回内端部を該主軸14に連結している。
【００２０】
さらに、この主軸14の上端部を固定枠８の上面板8aから上方に突出させてその突出端に四角柱状のハンドル体15を固着してあり、このハンドル体15を上記載置台１の天板1aの他側部に開設している開口部16を通じて外部に露出させて載置台１の上方側からハンドル体15を回動操作することにより上記ゼンマイ６を縮径方向に巻き締めして所定のバネ力を保持させるように構成している。
【００２１】
この主軸14と上記ハンマー部材４の往復回動軸９との間に介在している上記動力伝達機構５は噛合歯車列からなり、主軸14には外周部に複数個の係止孔51を周方向に小間隔毎に穿設している第１歯車5aを主軸14に対して相対的に回転自在に遊嵌させていると共に、この第１歯車5aの上方側における主軸14の上部に動力伝達アーム17の中央部を固着し、このアーム17の両端部を図４においてゼンマイ６が緩む方向、即ち、反時計方向に屈曲17a させ、その屈曲先端部をさらに下方に屈曲させて上記係止孔51に係脱する係合片部17b に形成している。
【００２２】
従って、上記ハンドル体15を時計方向に回動させると、アーム17が第１歯車5aの外周部上でその先端係合片部17b を係止孔51に順次係脱させながら一体に回転してゼンマイ６を巻き締めする一方、巻き締め後においてはゼンマイ６の弾性復元力が主軸14を反時計方向に回動させる方向に作用し、アーム17の係合片部17b が係止孔51に食い込む方向に係止して主軸14の回動がこのアーム17を介して第１歯車5aに伝達して該第１歯車5aを同一方向に一体に回動させるように構成している。
【００２３】
さらに、この第１歯車5aに第２歯車5bと第３歯車5cとを順次、噛合させて上記動力伝達機構５を形成している。詳しくは、第２歯車5bと第３歯車5cとの回転中心軸52、53はその上下端が上記固定枠８の上下面板8a、8bに回転自在に支持されていると共に、第２歯車5bはその中心軸52の下部に小径歯車5b' を一体に固着してこの小径歯車5b' に上記第１歯車5aを噛合させ、第３歯車5cはその中心軸53の上部に小径歯車5c' を固着してこの小径歯車5c' に上記第２歯車5bを噛合させて第１歯車5aの一回転に対する第３歯車5cの回転数の比率を増大させている。そして、第３歯車5cの回転によって上記ハンマー部材４を作動させるように構成している。
【００２４】
このハンマー部材４と第３歯車5cとの関係は、該第３歯車5cの各歯の形状を波形状に形成し、その任意の歯に、上記ハンマー部材４の往復回動軸９から突設した一対の爪4c、4dにおける一方の爪4cを係止させた状態においては他方の爪4dが該一方の爪4cが係止している歯から数個離れた歯からの係止を解いた状態にあり、一方の爪4cが上記歯から離脱した時に他方の爪4dが対向する歯に係止し、これを交互に繰り返すことによって１歯に相当するピッチだけ第３歯車5cがゼンマイ６の弾性復元力によって間欠的に一方向に順次回動させられ、往復回動軸９を中心としてハンマー部材４を往復回動させてベル３を連続的に叩打するように構成している。なお、爪4c、4dは歯に係止した瞬間に、第３歯車5cの歯の湾曲面に摺動しながら該歯から抜け出す方向に移動可能な形状に形成されている。
【００２５】
次に、以上のように構成した実施の形態における消火器Ｂの盗難防止装置Ａの作用を述べると、まず、載置台１内から孔11を通じて載置面２から上方に突出しているスイッチ部材７をコイルスプリング12の弾性力に抗して押し下げることによってその下端面と載置台１の底板1bの内底面とで往復回動軸９から突設しているＬ字状の水平杆部材10を挟着、固定し、往復回動軸９がゼンマイ６のバネ力によって動力伝達機構５を介して回動しないようにしたのち、載置台１の天板1aの開口部16に臨んでいるハンドル体15を一方向（図２において時計方向）に回動操作することにより、ゼンマイ６を巻き締めする。
【００２６】
しかるのち、直ちに、消火器Ｂの円筒状器体ｂの下端部を載置台１の天板1aの外周部に突設している内外周壁2a、2b間のリング状空間部2cに挿入し、その下端面を載置面２上に載置して消火器Ｂをこの載置面２から立設状態に設置する。
【００２７】
この際、上記ゼンマイ６の巻き締め後に手放したスイッチ部材７がコイルスプリング12、12の復元力によって再び、載置台１内から孔11を通じて上記リング状空間部2c内に向かって上方に突出しているので、消火器Ｂの円筒状器体ｂの下端面が載置面２に受止される前にスイッチ部材７の上端面に円筒状器体ｂの下端面が当接し、この状態から消火器Ｂをその重量によってスイッチ部材７をコイルスプリング12、12の弾発力に抗して押し下げながらリング状空間部2c内に挿入して該円筒状器体ｂの下端面を載置面２上に載置させる。
【００２８】
消火器Ｂの重量によってスイッチ部材７が押し下げられると、このスイッチ部材７の下端面が上述したようにハンマー部材４の往復回動軸９から突設している水平杆部材10上に当接し、この水平杆部材10をスイッチ部材７の下端面と載置台１の底板1bの上面とで挟着して水平杆部材10を固定し、ハンマー部材４を作動させる往復回動軸９が回動不能状態に固定されるものである。
【００２９】
なお、載置面２を形成している内外周壁2a、2b間の幅が十分に広くてその外側周壁2aと消火器Ｂの円筒状器体ｂの外周面との間に指先が挿入可能な空間部を設けておくことができるので、この空間部を通じてスイッチ部材７を押し下げた状態でゼンマイ６を巻き締めし、巻き締め後、スイッチ部材７を手放すことなく、押し下げた状態を維持しながら消火器Ｂを載置面２上に設置することによって、スイッチ部材７の手放しによるハンマー部材４の一時的な作動をなくすことができる。
【００３０】
また、スイッチ部材７の下端面で水平杆部材10を押さえた状態において、スイッチ部材７の上端面が消火器載置面２と面一状態にして消火器Ｂの円筒状器体ｂの下端面が載置面２上に全面的に接した状態で設置させるには、スイッチ部材７の高さを水平杆部材10と載置面２間の縦幅寸法に等しく形成しておく必要があるが、スイッチ部材７をこの縦幅寸法よりも短く形成しておくと共にスイッチ部材７の上半部と下半部とを分離させてその分離部対向面間にスプリングを介在させておけば、スイッチ部材７の高さを水平杆部材10と載置面２間の縦幅寸法に等しく形成しておく必要はなく、該スイッチ部材７の下端面を確実且つ強固に水平杆部材10上に押し付けることができる。
【００３１】
こうして、消火器Ｂを載置台１上に設置した状態で建物内の通路に面した内壁等に沿わせた状態で床面上に配設し、載置台１をその四隅部に設けている取付孔1dを通じてボルト等により床面上に固着する。なお、消火器Ｂは図６に示すように載置台１上に露出した状態で設置しておいてもよく、図７に示すように、載置台１と共に消火器収納箱Ｃ内に収納した状態で配置しておいてもよい。
【００３２】
このような消火器Ｂの設置状態において、消火器Ｂを持ち上げて載置台１の載置面２から離脱させると、それまで該消火器Ｂの重量により載置台１内に没入していたスイッチ部材７がコイルスプリング12、12の復元力によって上動して載置面２から上方に突出し、その下端面と載置台１の底板1bの内底面とによる水平杆部材10の固定を解除する。
【００３３】
そうすると、この水平杆部材10を一体に突設させている往復回動軸９が回動可能となって、ゼンマイ６のバネ力、即ち、巻き締めによって保有されていた弾性復元力が噛合歯車列からなる動力伝達機構５を介して往復回動軸９に伝達され、最後列の第３歯車5cを一方向に回動させると共にこの回動力によって往復回動軸９から突設しているハンマー部材４の一対の爪4c、4dが交互に第３歯車5cの歯に係脱を繰り返して往復回動軸９を一定角度範囲内で時計方向と反時計方向とに往復回動させ、ハンマー部材４がこの往復回動軸９を中心として一体に往復運動を行ってベル３を繰り返し連続的に叩打し、警報音を発生させて消火器Ｂが載置台１から持ち出されたことを報知する。
【００３４】
ハンマー部材４によるベル３の叩打は、消火器Ｂを載置台１の載置面２上に戻さない限り、ゼンマイ６のバネ力がなくなるまで連続的に長時間、発生するものであるが、消火器Ｂを載置台１の載置面２から持ち上げた瞬間に警報を発するものであるから、消火器を盗もうとしても、その警報音に驚いて消火器Ｂを元の位置に返し、盗難を防止することができる。なお、警報音を停止させるには、スイッチ部材７を押し下げて往復回動軸９を不作動状態にしなければならないが、そのスイッチ部材７の位置が分からず、また、分かってもスイッチ部材７が載置面２を形成している内外周壁2a、2b間に突出しているから、これらの内外周壁2a、2bが邪魔になって他の重量物をスイッチ部材７上に乗せることが困難となり、従って、上述したように、消火器Ｂを再び、載置台１の載置面２上に設置しないかぎり、警報音を中途で停止させることができない構造となっている。
【００３５】
また、火災が発生した場合において、上記消火器Ｂを載置台１上から取り除くと、上述したように、ハンマー部材４によってベル３が叩打されて警報音を発するので、この警報音によって周囲に火災が発生したことをいち早く報知することができる。
【００３６】
なお、以上の実施の形態においては、ゼンマイ６のバネ力により噛合歯車列からなる動力伝達機構５を介してハンマー部材４の往復回動軸９を作動させるには、往復回動軸９からハンマー部材４の基端と一体の一対の爪4c、4dを設けておき、これらの爪4c、4dを噛合歯車列の第３歯車5cの歯に交互に係止させることによって行っているが、図８に示すように、動力伝達機構５の最後列の歯車5c' に円板5dの中心部を一体に固着し、この円板5dの外周部に、周方向に小間隔毎に突設しているピン54に往復回動軸９から突設している短軸部4eを係脱させることによって行ってもよく、或いは図９に示すように、動力伝達機構５の最終列の歯車5c' にカム板5d' を一体に固着し、このカム板5d' の外周面に形成しているカム面55に往復回動軸９から突設している短軸部4eを係脱させることによって行ってもよい。この場合、ハンマー部材４の腕杆部4aをスプリング56によって常にベル３側に付勢させた構造としておけばよい。その他の構造については上記実施の形態と同様であるので、同一部分には同一符号を付して詳細な説明を省略する。
【００３７】
【発明の効果】
本発明の消火器の盗難防止装置は、請求項１に記載したように、上面を消火器載置面に形成している消火器載置台に、警報を発するベルと、このベルを連続叩打するハンマー部材と、復元力によってハンマー部材を作動させるゼンマイと、上記載置面上に載置された消火器の重量によってゼンマイの復元力を抑止するスイッチ部材とを配設してなり、消火器が載置面から離脱した時にスイッチ部材によるゼンマイの抑止力を解いて上記ハンマー部材によりベルを連続叩打させるように構成しているので、消火器を消火器載置台の消火器載置面から持ち上げた瞬間に、スイッチ部材によるゼンマイの抑止力が解かれて、該ゼンマイの弾性復元力によってハンマー部材がベルを連続叩打し、警報音が発生する。
【００３８】
よって、消火器を盗もうとする者がその警報音に驚いて消火器を元の位置に返すので、消火器の盗難を未然に防止することができる。しかも、発生する警報音は、消火器を消火器載置台の消火器載置面上に再び載置しない限り、上記ゼンマイの弾性復元力がなくなるまで連続的に長時間に亘って発生し続けるものであるから、確実な盗難防止効果を得ることができる。
【００３９】
また、消火器載置台の消火器載置面上に消火器が載置されている状態においては、消火器載置台の消火器載置面上に載置された消火器の重量により上記スイッチ部材を介してゼンマイの復元力を機械的に抑止しているので、電気的にゼンマイの復元力を抑止している場合と異なり、停電や電池切れによってゼンマイの抑止が不意に解かれるといった不測の事態は生じない。従って、消火器が消火器載置台の消火器載置面上から取り除かれない限り、ゼンマイが保有している復元力は失われることなく保持され続けるので、長期間に亘って消火器載置台の消火器載置面上から消火器が取り除かれなかった後であっても、消火器が消火器載置台の消火器載置面上から取り除かれると、確実に警報音が発生する。
【００４０】
更には、上記消火器の盗難防止装置はゼンマイによって作動するものであるから、この消火器の盗難防止装置に電力を供給する必要は全くない。従って、電源設備を備えていない建物の内部等にも消火器の盗難防止装置を設置することができる。また、上記消火器の盗難防止装置は電力を供給するための接続配線を必要としないので、設置場所を変更する際に配線の接続や解除等の電気工事を行う必要がなく、簡単に設置場所を変更することができる。
【００４１】
加えて、火災発生時に、消火器載置台上に設置された消火器を使用するために消火器載置台の消火器載置面上から消火器を取り除くと、警報音が直ちに且つ確実に発生して、周囲の人々に火災の発生を知らせることができる。しかも、上述のように、この消火器の盗難防止装置は電力を必要としないので、火災によって建物内の電源系統に故障が生じている場合にあっても、消火器を消火器載置台の消火器載置面上から取り除くと、直ちに且つ確実に警報音を発生させて周囲の人々に火災の発生を知らせることができる。
【００４２】
また、上記ベルとハンマー部材及びゼンマイを消火器載置台に内装している一方、スイッチ部材を消火器載置台の載置面を貫通してスプリング力により常時、上方に付勢してあり、このスイッチ部材を消火器の重量により下動させて該スイッチ部材の下端面によりハンマー部材の一部を不作動状態に押圧している場合には、消火器載置台の消火器載置面上に設置された消火器を取り除くと、直ちにスイッチ部材がスプリング力によって上動してその下端面が上記ハンマー部材の一部から確実に離間し、ハンマー部材の一部の押圧が解除されると共にゼンマイの復元力の抑止が解除される。従って、消火器が消火器載置台の消火器載置面上から取り除かれたにもかかわらずスイッチ部材がその自重によってハンマー部材の一部を押圧し続けて警報音が発生しないといったような不測の事態は生じず、消火器載置台の消火器載置面上から消火器が取り除かれると確実に警報音が発生し、高い盗難防止効果を奏するものである。
【００４３】
さらに、上記消火器の盗難防止装置において、上記ハンマー部材の基端部を消火器載置台の底板に往復回動自在に枢着していると共に、このハンマー部材とゼンマイとの間にゼンマイの復元力を該ハンマー部材に伝達する噛合歯車列からなる動力伝達機構を配設して上記枢着部から突出したハンマー部材の突出端に一体に設けている爪をこの動力伝達機構の最後列の歯車に係脱させることによりハンマー部材を往復回動させるように構成している場合には、噛合歯車列である動力伝達機構によってゼンマイの弾性復元力をハンマー部材に確実に伝達させることができると共に、ハンマー部材に一体に設けている爪を動力伝達機構の最後列の歯車に係脱させることによって、ゼンマイの弾性復元力によりハンマー部材を確実に往復回動させることができる。従って、消火器載置台の消火器載置面上の消火器が取り除かれたにもかかわらず警報音が発生しないといった不測の事態は生じず、消火器載置台の消火器載置面上の消火器が取り除かれると、ゼンマイの弾性復元力によってハンマー部材が確実に往復回動してベルを連続叩打し警報音を発生させて、より高い盗難防止効果を得ることができる。
【図面の簡単な説明】
【図１】  本発明の盗難防止装置の消火器載置台の縦断正面図、
【図２】  その平面図、
【図３】  その内部構造を示す平面図、
【図４】  その要部を示す斜視図、
【図５】  その縦断正面図、
【図６】  その使用要領を示す斜視図、
【図７】  その使用要領を示す斜視図、
【図８】  本発明の他の盗難防止装置の消火器載置台の要部を示す平面図、
【図９】  本発明の他の盗難防止装置の消火器載置台の要部を示す平面図である。
【符号の説明】
１  消火器載置台
２  消火器載置面
３  ベル
４  ハンマー部材
５  動力伝達機構
６  ゼンマイ
７  スイッチ部材
Ａ  消火器の盗難防止装置
Ｂ  消火器
【図１】
0003757179.tif 000002
【図２】
0003757179.tif 000003
【図３】
0003757179.tif 000004
【図４】
0003757179.tif 000005
【図５】
0003757179.tif 000006
【図６】
0003757179.tif 000007
【図７】
0003757179.tif 000008
【図８】
0003757179.tif 000009
【図９】
0003757179.tif 000010